(57)【特許請求の範囲】
【請求項１】
左右に長い横長の表示パネル及び該表示パネルを駆動するドライバを含む表示装置を内蔵し、左右下端に該表示パネルよりも表面側へ膨出する一対の第１ヒンジ軸受部を有する第１の筐体と、
操作部を内蔵し、左右上端から上記第１ヒンジ軸受部の間へ水平に膨出する一対の第２ヒンジ軸受部を有する第２の筐体と、
連接する左右の上記第１ヒンジ軸受部及び第２ヒンジ軸受部内にそれぞれ配設され、上記第１の筐体と第２の筐体とを折り畳み可能に連結する一対の開閉軸とを備え、
上記第１の筐体と第２の筐体とを開いたときに、
上記表示装置の一部が上記第２ヒンジ軸受部の裏側に隠れ、
上記表示パネルの表示エリアの下端部は、表面視で該一対の第２ヒンジ軸受部間の隙間で、かつ該一対の第２ヒンジ軸受部のいずれの裏側にも隠れない位置に配置され、
上記ドライバは、上記表示パネルの少なくとも左右いずれかに配置され、該ドライバは、表面視で上記第２ヒンジ軸受部の上方に配置され、
上記表示エリアの左右中心と、上記第１の筐体の左右中心とが略一致するように配置されている
ことを特徴とする折畳み式携帯電話機。
【請求項２】
請求項１に記載の折畳み式携帯電話機において、
上記操作部には、横長に入力キーが配列されている
ことを特徴とする折畳み式携帯電話機。
【請求項３】
請求項１又は２のいずれか１つに記載の折畳み式携帯電話機において、
上記表示パネルは、液晶表示パネルである
ことを特徴とする折畳み式携帯電話機。
【請求項４】
請求項１乃至３のいずれか１つに記載の折畳み式携帯電話機において、
上記表示パネルは、有機ＥＬ表示パネルである
ことを特徴とする折畳み式携帯電話機。
【発明の詳細な説明】
【技術分野】
【０００１】
本発明は、第１の筐体と第２の筐体とが折り畳み可能に連結された折畳み式携帯電話機に関し、特にその表示装置の配置に関するものである。
【背景技術】
【０００２】
従来より、矩形板状の表示パネル及び該表示パネルを駆動するドライバを含む表示装置を内蔵する第１の筐体と、操作部を内蔵する第２の筐体と、第１の筐体と第２の筐体とを折り畳み可能に連結する開閉軸とを備えた折畳み式携帯端末は知られている。
【０００３】
液晶表示装置は、通常、画像が表示される液晶パネルと、その液晶パネルの周辺にドライバ用ＩＣチップを実装したドライバ基板と、照明装置と、これらを包むフレームとを備えている。
【０００４】
例えば、特許文献１では、導光板型バックライトユニットを用いた液晶表示装置において、ランプユニットがバックライトユニットの側面に配置されるように両者を液晶ホルダー内に保持し、かつ液晶パネルの上下、左右の各々１つの端縁部に水平、垂直ドライバ用ＩＣチップをそれぞれ実装するものであって、かつこのＩＣチップを上記ランプユニットとは相対向する逆位置に取り付けることにより、画面輝度を上げると同時に装置全体を薄く小さくしている。
【０００５】
また、特許文献２の液晶表示装置では、ＬＣＤモジュールと、ＬＣＤモジュールの上面における１つの縁部に配設されたＬＣＤドライバと、ＬＣＤモジュールの下面に対向して配設されたバックライト用導光部材と、バックライト用導光部材における前記縁部側の端部に配設されたバックライト用光源と、ＬＣＤモジュールの下面における前記縁部に配設され、上面が遮光性を有し、下面が反射性を有する反射兼遮光層とを備え、形成する層の数を低減するとともに、輝度向上を実現するようにしている。
【特許文献１】特開平６−１９４６５２号公報
【特許文献２】特開２００１−２７２６９１号公報
【発明の開示】
【発明が解決しようとする課題】
【０００６】
しかしながら、上記特許文献１及び２では、矩形板状の表示パネルの一辺、または二辺の近傍に基板が延び、その上にＬＣＤドライバが実装されているため、表示パネルの左右中心は第１の筐体の左右中心とずれた状態になっている。
【０００７】
上記のような液晶表示装置を折畳み式携帯端末に内蔵して、表示部を大きく、製品の外形を小さくしようとすると、表示パネルの左右中心と外形全体の左右中心とがずれてしまい、左右中心を一致させると、外形全体を大きくしなければならないという問題がある。
【０００８】
本発明は、かかる点に鑑みてなされたものであり、その目的とするところは、表示パネルの左右中心と、第１の筐体の左右中心とを一致させながら、それに伴う第１の筐体の拡大化をできる限り抑えることにある。
【課題を解決するための手段】
【０００９】
上記の目的を達成するために、この発明では、折畳み式携帯端末を開いたときに、表示装置を含む第１の筐体を第２の筐体よりも正面から見て奥側に配置するようにした。
【００１０】
具体的には、第１の発明では、左右に長い横長の表示パネル及び該表示パネルを駆動するドライバを含む表示装置を内蔵し、左右下端に該表示パネルよりも表面側へ膨出する一対の第１ヒンジ軸受部を有する第１の筐体と、
操作部を内蔵し、左右上端から上記第１ヒンジ軸受部の間へ水平に膨出する一対の第２ヒンジ軸受部を有する第２の筐体と、
上記第１ヒンジ軸受部及び第２ヒンジ軸受部内に配設され、上記第１の筐体と第２の筐体とを折り畳み可能に連結する一対の開閉軸とを備え、
上記第１の筐体と第２の筐体とを開いたときに、該第１の筐体の表面の一部が上記第２ヒンジ軸受部の裏側に隠れるように構成されている。
【００１１】
上記の構成によると、表面から見て第２ヒンジ軸受部の奥側に、表示装置のうち、画像を表示する表示パネルではない部分、例えばドライバを配置できるので、第１の筐体の拡大化を抑えながら、表示パネルの左右中心と第１の筐体の左右中心とを一致させ易い。
【００１２】
第２の発明では、第１の発明において、
上記表示パネルの表示エリアの下端部は、表面視で上記第２ヒンジ軸受部の間に該第２ヒンジ軸受部と左右方向に延びる同じラインにあり、かつ該第２ヒンジ軸受部の裏側ではない位置に配置されている。
【００１３】
上記の構成によると、表示パネルを一対の第２ヒンジ軸受部の間に配置することで、表示パネルの左右中心を第１の筐体の左右中心に合わせることができ、表示画面を大きくすることができる。
【００１４】
第３の発明では、第２の発明において、
上記ドライバは、上記表示パネルの少なくとも左右いずれかに配置され、該ドライバは、表面視で上記第２ヒンジ軸受部と左右方向に延びる同じラインに配置されている。
【００１５】
上記の構成によると、ドライバを第２ヒンジ軸受部のある部分と左右方向に延びる同じ線上に配置できるので、表示パネルを第１の筐体の下方まで一杯に延ばして大きくしても画像が見にくくなることはない。
【００１６】
第４の発明では、第１乃至第３のいずれか１つの発明において、
表示パネルの左右中心と、上記第１の筐体の左右中心とが略一致するように配置されている。
【００１７】
上記の構成によると、表示パネルが見やすく、見映えが良い。
【００１８】
第５の発明では、第１乃至第４のいずれか１つの発明において、
上記操作部には、横長に入力キーが配列されている。
【００１９】
上記の構成によると、パソコンと同じキー配置にすることが可能であるため、横長の画面を見ながらパソコンのように快適な操作が行える。
【００２０】
第６の発明では、第１乃至第５のいずれか１つの発明において、
上記表示パネルは、液晶表示パネルとする。
【００２１】
上記の構成によると、液晶ディスプレイは、有機ＥＬディスプレイに比べて安価で寿命が長い。
【００２２】
第７の発明では、第１乃至第５のいずれか１つの発明において、
上記表示パネルは、有機ＥＬ表示パネルとする。
【００２３】
上記の構成によると、有機ＥＬディスプレイは、自発光を発するため消費電力が小さく、液晶ディスプレイに比べて視野角が広く、かつバックライトを必要としないため、薄型化が可能である。
【００２４】
第８の発明では、第１乃至第７のいずれか１つの発明において、
折畳み式携帯端末は、携帯電話機とする。
【００２５】
上記の構成によると、左右バランスの良い横長の表示パネルを見ながら操作部で操作が可能である。
【発明の効果】
【００２６】
以上説明したように、折畳み式携帯端末を開いたときに、表示装置を含む第１の筐体と第２の筐体とを開いたときに、第１の筐体の表面の一部が第２ヒンジ軸受部の裏側に隠れるようにしたことにより、表示装置における表示パネル以外の部分を第２ヒンジ軸受部の奥側に配置できるので、表示パネルの左右中心と、第１の筐体の左右中心とを略一致するように配置でき、また、表示パネルを可能な限り大きくすることができる。
【発明を実施するための最良の形態】
【００２７】
以下、本発明の実施形態を図面に基づいて説明する。
【００２８】
図１乃至図６は本発明の実施形態の折畳み式携帯端末としての折畳み式携帯電話機１を示し、この携帯電話機１は、第１の筐体２と第２の筐体３とが折り畳み開閉自在に連結されている。第１の筐体２と第２の筐体３とは、例えば、樹脂成形品よりなる。
【００２９】
第１の筐体２の左右下端には、表示パネル４よりも表面側へ膨出する一対の第１ヒンジ軸受部２ａが形成されている。
【００３０】
第２の筐体３は、横長に入力キー８ａが配列された操作部８を内蔵している。この操作部８は、パソコンと同じキー配置にすることが可能であるため、横長の画面を見ながらパソコンのように快適な操作が行えるようになっている。また、第２の筐体３の上端には、第１ヒンジ軸受部２ａの間へ水平に膨出する一対の第２ヒンジ軸受部３ａが左右に間隔をあけて一体に成形されている。
【００３１】
図６に示すように、第１ヒンジ軸受部２ａ及び第２ヒンジ軸受部３ａは、それぞれ内部が空洞に形成されている。例えば、左側の第１ヒンジ軸受部２ａ及び第２ヒンジ軸受部３ａ内には、第１の筐体２と第２の筐体３とを折り畳み可能に連結し、所定位置で第１の筐体２の位置を保持したり、第１の筐体２の開閉を補助する弾性部材（図示せず）を備えた左側開閉軸９が内蔵されている。右側の第１ヒンジ軸受部２ａには、第２ヒンジ軸受部３ａ側へ突出する中空の右側開閉軸１０を備え、その内部には、表示装置６と操作部８とを電気的に接続する信号線１１が通っている。
【００３２】
図２に示すように、第１の筐体２の背面における第１ヒンジ軸受部２ａ側の中央には、通話ボタン１２と終話ボタン１３と受話部１４とが配設され、送話部は第１の筐体２の図示されていない下側面に設けられている。このことで、閉じた状態で通話や終話が可能となっている。
【００３３】
図３に示すように、第２の筐体３の背面側には、電池収納部が形成され、その表面が電池蓋１５で覆われている。
【００３４】
図４及び図７に示すように、第１の筐体２は、左右に長い横長の表示パネル４と該表示パネル４を駆動するドライバ５とを含む表示装置６を内蔵している。矩形板状の表示パネル４の右側にフレキシブル基板１６が接続されている。表示パネル４は、安価で寿命が長い液晶ディスプレイよりなり、一対のガラス基板の間に液晶層が配置され、図７の破線で囲まれた領域が、表示エリア４ａとなっている。このフレキシブル基板１６に上記ドライバ５が実装され、このフレキシブル基板１６に上記信号線１１が接続されている。このため、表示パネル４（表示エリア４ａ）の左右中心Ｙは、表示装置６全体の左右中心Ｘよりも左側にずれている。
【００３５】
一方、図４に示すように、表示装置６の左右中心Ｘは、第１の筐体２（第２の筐体３）の左右中心よりも右側に配置され、そのことで、表示エリア４ａの左右中心Ｙと、第１の筐体２の左右中心とがほぼ一致している。すなわち、表示エリア４ａは、一対の第２ヒンジ軸受部３ａの間に、この一対の第２ヒンジ軸受部３ａと重ならないように、その下端部が第１の筐体２の下端部近傍まで延びている。ドライバ５は、表面視で第２ヒンジ軸受部３ａと左右方向に延びる同じラインに配置されている。このように、表面から見て第２ヒンジ軸受部３ａの奥側に、表示装置６のうち、表示パネル４ではない部分、例えばドライバ５を配置できるので、表示エリア４ａの左右中心Ｙと第１の筐体２の左右中心とを一致させ易い。このため、表示エリア４ａを大きくしながら、その左右中心Ｙを第１の筐体２の左右中心に合わせることができるので、表示パネル４が見やすく、見映えが良いものとなっている。
【００３６】
したがって、本実施形態にかかる携帯電話機１によると、携帯電話機１を開いたときに、表示装置６を含む第１の筐体２を第２の筐体３よりも正面から見て奥側に配置するようにしたことにより、表示装置６における表示パネル４以外の部分を第２ヒンジ軸受部３ａの奥側に配置できるので、表示エリア４ａの左右中心Ｙと、第１の筐体２の左右中心とを略一致するように配置でき、また、表示パネル４を可能な限り大きくすることができる。
【００３７】
（その他の実施形態）
本発明は、上記実施形態について、以下のような構成としても良い。
【００３８】
すなわち、上記実施形態では、折畳み式携帯端末は、携帯電話機としたが、ＰＨＳ、ＰＤＡ、ＰＣ、モバイルツール、電子辞書、電卓、複写機等であっても良い。
【００３９】
上記実施形態では、表示パネル４は、液晶ディスプレイよりなるものとしたが、有機ＥＬディスプレイよりなるものとしても良い。有機ＥＬディスプレイは、自発光を発するため消費電力が小さく、液晶ディスプレイに比べて視野角が広く、かつバックライトを必要としないため、薄型化が可能である。
【００４０】
上記実施形態では、ドライバ５は、表示パネル４の右側に配置したが、左側に配置しても良い。この場合にも、表示装置６の左右中心Ｘは左側にずれるが、表示パネル４の左右中心Ｙは、第１の筐体２の左右中心と一致させることができる。
【００４１】
なお、以上の実施形態は、本質的に好ましい例示であって、本発明、その適用物や用途の範囲を制限することを意図するものではない。
【産業上の利用可能性】
【００４２】
以上説明したように、本発明は、携帯電話機、ＰＨＳ、ＰＤＡ、ＰＣ、モバイルツール、電子辞書、電卓、複写機などの横長の表示パネルを有する折畳み式携帯端末について有用である。
【図面の簡単な説明】
【００４３】
【図１】本発明の実施形態にかかる折畳み式携帯電話機の開いた状態を示す斜視図である。
【図２】携帯電話機の閉じた状態を示す斜視図である。
【図３】携帯電話機の背面図である。
【図４】携帯電話機における表示装置の配置を示した正面図である。
【図５】携帯電話機の側面図である。
【図６】図４のVI−VI線断面図である。
【図７】表示装置の構成を示し、（ａ）が正面図で、（ｂ）が側面図である。
【符号の説明】
【００４４】
１      携帯電話機（折畳み式携帯端末）
２      第１の筐体
２ａ    第１ヒンジ軸受部
３      第２の筐体
３ａ    第２ヒンジ軸受部
４      表示パネル
５      ドライバ
６      表示装置
８      操作部
８ａ    入力キー
９      左側開閉軸
１０      右側開閉軸
【図１】
0004405532.tif 000002
【図２】
0004405532.tif 000003
【図３】
0004405532.tif 000004
【図４】
0004405532.tif 000005
【図５】
0004405532.tif 000006
【図６】
0004405532.tif 000007
【図７】
0004405532.tif 000008